(57)【要約】      （修正有）【課題】節水化とボウル部の洗浄性を両立させることができる水洗大便器を提供する。【解決手段】洗浄水を便器本体２に供給して洗浄する水洗大便器１であって、便器本体２へ供給する給水装置４と、ボウル形状の汚物受け面１６と、上縁に位置し内周面を有するリム部１８と、を備えたボウル部８と、給水装置４から供給された洗浄水をリム部１８の内周面に沿って吐水し同一方向の旋回流を形成する第１リム吐水口２４及び第２リム吐水口２６と、を有し、リム部１８は、内周面がオーバーハング形状に形成され、内周面のオーバーハング形状により洗浄水の通水路が形成され、第１リム吐水口２４は給水装置４から供給された洗浄水を上記リム部１８の内周面に沿ってほぼ水平方向に吐水し、第２リム吐水口２６は給水装置４から供給された洗浄水をリム部１８の内周面に沿って下方向へ吐水する。【選択図】図１
2015183484.tif 000002
【特許請求の範囲】
【請求項１】
洗浄水を便器本体に供給して洗浄する水洗大便器であって、
この便器本体と接続され、一定の大流量の洗浄水を所定時間継続して便器本体へ供給する給水装置と、
ボウル形状の汚物受け面と、上縁に位置し内周面を有するリム部と、を備えたボウル部と、
上記給水装置から供給された洗浄水を上記リム部の内周面に沿って吐水し同一方向の旋回流を形成する第１リム吐水口及び第２リム吐水口と、
上記給水装置から洗浄水を上記第１リム吐水口及び第２リム吐水口にそれぞれ供給する第１通水路及び第２通水路と、を有し、
上記リム部は、その内周面が上記ボウル部の内側空間に露出し且つ内部空間に向かって上方に延びるオーバーハング形状に形成され、この内周面のオーバーハング形状により洗浄水の通水路が形成され、
上記第１リム吐水口は上記給水装置から供給された洗浄水を上記リム部の内周面に沿ってほぼ水平方向に吐水し、上記第２リム吐水口は上記給水装置から供給された洗浄水を上記リム部の内周面に沿って下方向へ吐水することを特徴とする水洗大便器。
【請求項２】
上記第２通水路は上記第２リム吐水口から上流に向かって上り傾斜していることを特徴とする請求項１記載の水洗大便器。
【請求項３】
上記第１リム吐水口は上記リム部の側方部に位置し、上記ボウル部の前方側に洗浄水を吐水し、上記第２リム吐水口は上記リム部の後方部に位置することを特徴とした請求項１又は請求項２記載の水洗大便器。
【請求項４】
上記給水装置は、洗浄水を貯水する貯水タンクと、少なくともその一部が上記貯水タンク内で水没した状態で配置されたジェットポンプユニットを備え、
上記ジェットポンプユニットは、その一端が上記便器本体の導水路の入口に接続され、その他端には吸引口が形成され、この吸引口が上記貯水タンク内の下部に位置するように配置されたスロート管と、このスロート管の吸引口に向けて洗浄水を噴射してジェットポンプ作用を誘発させるジェットノズルと、を備えている請求項１乃至請求項３の何れか１項に記載の水洗大便器。
【発明の詳細な説明】
【技術分野】
【０００１】
本発明は、水洗大便器に係り、特に、一定の大流量の洗浄水が所定時間継続して便器本体へ供給される水洗大便器に関する。
【背景技術】
【０００２】
従来から、便器の清掃性を向上させるために、便器のボウル部において、リム部を上方に向かってボウル部の内側空間へ張り出したオーバーハング形状により形成し、洗浄水をリム吐水口から水平方向へ吐水し、その洗浄水がリム部の内周面を旋回して、ボウル部のボウル面に流下させて洗浄するようにした水洗大便器が知られている。
【０００３】
このような構造の水洗大便器においては、ボウル部のリム部がオーバーハング形状により形成されているので、「遠心力による水の飛び出し」が問題となっている。この「遠心力による水の飛び出し」とは、便器本体のボウル部がその前方側の曲率半径が最も小さい卵型の形状となっているために、リム部の内周面に沿って旋回する洗浄水が、前方側のリム部の内周面を通過する際に、遠心力の影響を受け、内周面に沿ってボウル部の外側へ飛び出る現象を言う。このような「遠心力による水の飛び出し」を抑制するために、例えば、特許文献１に記載されているように、ボウル部の前方側のリム部のオーバーハングの度合いを大きくしているものが知られている。また特許文献１に記載されているように、ボウル部の後方側を効率良く洗浄するためリム部の後方部に吐水口を追加して設けられていることも知られている。
【０００４】
また、リム部がオーバーハング形状の水洗大便器において、最近、節水化の要請に対応するため、勢いの強い水を便器のボウル面に継続的に供給することができるジェットポンプ機構（例えば、特許文献２参照）を適用して、節水化とボウル部の洗浄性の確保を両立させることが検討されている。
【先行技術文献】
【特許文献】
【０００５】
【特許文献１】特開２０１３−４４１８２号公報
【特許文献２】特開２００４−１５６３８２号公報
【発明の概要】
【発明が解決しようとする課題】
【０００６】
しかしながら、例えば、上述したジェットポンプ機構により、便器本体に洗浄水を供給した場合、勢いの強い水が継続的に長時間便器本体に供給され、それにより、２つのリム吐水口（第１及び第２リム吐水口）から吐水された大流量の洗浄水が継続的にリム部の内周面を旋回することになる。このとき、大流量で吐水された洗浄水は、第２リム吐水口付近において第１リム吐水口から吐水された洗浄水と第２リム吐水口から吐水された洗浄水とが合流することで洗浄水が便器本体外へ飛び出す問題が生じていた。
【０００７】
具体的には、図８に示すように、リム部１００の第２リム吐水口１００ａにおいて、リム部１００の内周面１０２はオーバーハング形状に形成され、その下端１０２ａから上端１０２ｂまで通水路が形成される。第１リム吐水口から吐水された洗浄水Ｍ１が、第２リム吐水口から吐水された洗浄水Ｍ２に追いつき、洗浄水に乗り上げて又は洗浄水の一部を押し出して洗浄水Ｍ３がボウル部の上方外側へ飛び出してしまう。図８はボウル部の内側空間から見たリム部の第２リム吐水口付近の領域の部分展開図である。
【０００８】
特に、ジェットポンプ機構を有する水洗大便器は、リム吐水口からの洗浄水量が大流量となるため、この洗浄水の合流によるリム部から便器本体外への水の飛び出しは顕著になる。この水の飛び出しは、勢いの強い水を便器本体のボウル部に継続的に供給して節水化を達成するために、解決しなければならない重要な課題である。
【０００９】
このように、本発明は、節水化とボウル部の洗浄性を両立させることができる水洗大便器を提供することを目的としている。
【課題を解決するための手段】
【００１０】
本発明の態様の１つは、洗浄水を便器本体に供給して洗浄する水洗大便器であって、この便器本体と接続され、一定の大流量の洗浄水を所定時間継続して便器本体へ供給する給水装置と、ボウル形状の汚物受け面と、上縁に位置し内周面を有するリム部と、を備えたボウル部と、上記給水装置から供給された洗浄水を上記リム部の内周面に沿って吐水し同一方向の旋回流を形成する第１リム吐水口及び第２リム吐水口と、上記給水装置から洗浄水を上記第１リム吐水口及び第２リム吐水口にそれぞれ供給する第１通水路及び第２通水路と、を有し、上記リム部は、その内周面が上記ボウル部の内側空間に露出し且つ内部空間に向かって上方に延びるオーバーハング形状に形成され、この内周面のオーバーハング形状により洗浄水の通水路が形成され、上記第１リム吐水口は上記給水装置から供給された洗浄水を上記リム部の内周面に沿ってほぼ水平方向に吐水し、上記第２リム吐水口は上記給水装置から供給された洗浄水を上記リム部の内周面に沿って下方向へ吐水することを特徴とする水洗大便器である。
【００１１】
このように構成された発明においては、第２リム吐水口から吐水される洗浄水は、下向きに流れるので、第１リム吐水口から吐水された洗浄水が、第２リム吐水口から吐水された洗浄水に追いつくと、第１リム吐水口から吐水された洗浄水は、第２リム吐水口から吐水される下向き方向のベクトルを有する洗浄水によって、下方向の流れへと変換される。この結果、本発明によれば、洗浄水がリム部から便器本体外へ飛び出すことを防止することができる。さらに、リム部においてオーバーハング形状による清掃性を維持しつつ、節水化とボウル部の洗浄性を両立させることができる。
【００１２】
本発明の選択的な態様においては、上記第２通水路は上記第２リム吐水口から上流に向かって上り傾斜していることを特徴とする水洗大便器である。
【００１３】
このように構成された発明においては、第２通水路を第２リム吐水口から上流に向かって上り傾斜としたことで、第２リム吐水口から吐水される洗浄水は、確実に下向きに流れるので、第１リム吐水口から吐水された洗浄水が、第２リム吐水口から吐水された洗浄水に追いつくと、第１リム吐水口から吐水された洗浄水は、第２リム吐水口から吐水される下向き方向のベクトルを有する洗浄水によって、下方向の流れへと変換される。この結果、本発明によれば、洗浄水がリム部から便器本体外へ飛び出すことを確実に防止することができる。さらに、リム部においてオーバーハング形状による清掃性を維持しつつ、節水化とボウル部の洗浄性を両立させることができる。
【００１４】
本発明の選択的な態様においては、上記第１リム吐水口は上記リム部の側方部に位置し、上記ボウル部の前方側に洗浄水を吐水し、上記第２リム吐水口は上記リム部の後方部に位置することを特徴とした水洗大便器である。
【００１５】
このように構成された態様においては、第１リム吐水口から吐水される洗浄水は、ボウル部の前方側を旋回して第２リム吐水口に向かうので、第１リム吐水口から吐水された洗浄水の勢いがボウル部前方側を旋回するうちに弱まり、第１リム吐水口から吐水された勢いの弱まった洗浄水は、第２リム吐水口から吐水される下向き方向のベクトルを有する洗浄水によって、下方向の流れへと容易に変換される。この結果、本発明によれば、洗浄水がリム部から便器本体外へ飛び出すことを確実に防止することができる。さらに、リム部においてオーバーハング形状による清掃性を維持しつつ、節水化とボウル部の洗浄性を両立させることができる。
【００１６】
本発明の選択的な態様においては、上記給水装置は、洗浄水を貯水する貯水タンクと、少なくともその一部が上記貯水タンク内で水没した状態で配置されたジェットポンプユニットを備え、上記ジェットポンプユニットは、その一端が上記便器本体の導水路の入口に接続され、その他端には吸引口が形成され、この吸引口が上記貯水タンク内の下部に位置するように配置されたスロート管と、このスロート管の吸引口に向けて洗浄水を噴射してジェットポンプ作用を誘発させるジェットノズルと、を備えている水洗大便器である。
【００１７】
このように構成された態様においては、ジェットポンプユニットにより、一定の大流量の洗浄水を所定時間継続して便器本体へ供給する場合であっても、第１リム吐水口から吐水された洗浄水は、第２リム吐水口から吐水される下向き方向のベクトルを有する洗浄水によって、下方向の流れに変換されるため、便器本体外へ洗浄水が飛び出すことを防止できる。
【発明の効果】
【００１８】
本発明の水洗大便器によれば、節水化とボウル部の洗浄性を両立させることができる。
【図面の簡単な説明】
【００１９】
【図１】本発明の実施形態による水洗大便器を示す平面図である。
【図２】図１のII−II線に沿って見た断面図である。
【図３】図１のIII−III線に沿って見た断面図である。
【図４】本発明の実施形態による水洗大便器の給水装置を示す平面図である。
【図５】図４の正面図である。
【図６】図４の給水装置を示す概略正面図である。
【図７】図４の給水装置により供給される洗浄水の瞬間流量と時間との関係を示す線図である。
【図８】ボウル部の内側空間から見たリム部の第２リム吐水口付近の領域の部分展開図
【発明を実施するための形態】
【００２０】
次に、添付図面を参照して、本発明の実施形態による水洗大便器を説明する。先ず、図１乃至図３により、本発明の実施形態による水洗大便器の基本構造を説明する。図１は本発明の実施形態による水洗大便器を示す平面図であり、図２は図１のII−II線に沿って見た断面図であり、図３は図１のIII−III線に沿って見た第２リム吐水口付近の断面図である。本明細書においては、水洗大便器１の前端側を前方、貯水タンク５側を後方とし、水洗大便器１の前に立った使用者からみて左側方、右側方、鉛直方向に沿って上方、下方として説明する。
【００２１】
本発明の実施形態による水洗大便器１は、床に設置された排水管（図示せず）に後述する排水トラップ管路３４が接続される床排水タイプの洗落し式水洗大便器である。
図１及び図２に示すように、水洗大便器１は、便器本体２と、この便器本体２に洗浄水を供給する給水装置４を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水管路１２が形成されている。
【００２２】
上述した給水装置４は、貯水タンク５及び後述するジェットポンプユニット６を備えている。なお。本発明は、貯水タンク５を持たず水道から直接洗浄水が供給される直圧式水洗大便器や、フラッシュバルブにより洗浄水が供給されるタイプの水洗大便器等にも適用できる。
【００２３】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に向かってオーバーハングした形状に形成されている。
【００２４】
水洗大便器１の前方から見て左側の中央部の少し後方側の側方部に、洗浄水を吐水する第１リム吐水口２４が形成され、前方から見て右側後方部に、第２リム吐水口２６が形成されている。これらの第１リム吐水口２４及び第２リム吐水口２６は、同一方向（図１では反時計回りの方向）に旋回し、旋回流を形成するようになっている。
【００２５】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
【００２６】
図３に示すように、第２リム吐水口２６から上流側に向かって第２通水路３０は上向きに傾斜している。つまり、第２通水路３０から供給され水平方向に流れていた洗浄水Ｗ１は、第２リム吐水口２６の直前の第２通水路３０に形成される傾斜面に沿って流れることで、下向き方向に流れる洗浄水Ｗ２となり、洗浄水Ｗ２はリム部１８の内周面２２に沿って下方向に吐水される。第１リム吐水口２４からの吐水方向より第２リム吐水口２６からの吐水方向が下方へ向いている。具体的には、第２通水路３０の傾斜は、水平に対して１８度傾斜している。なお、この傾斜角度は１１〜３４度の範囲が好ましい。
【００２７】
上述した水洗大便器１においては、第１リム吐水口２４、第１通水路２８及び第２リム吐水口２６、第２通水路３０は、陶器製の便器本体２と一体に形成されているが、本実施形態による水洗大便器１は、この形態に限られず、第１リム吐水口２４、第１通水路２８及び第２リム吐水口２６、第２通水路３０を便器本体２とは別体のディストリビユータ等により形成するようにしても良い。
【００２８】
さらに、排水管路１２は、凹部２０の底面と接続しほぼ同一径（ほぼ同一断面形状）を有し且つ後方下方へ延びる導入管路３２と、この導水管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２９】
次に、図４乃至図７により、本発明の実施形態による水洗大便器１の給水装置４について説明する。図４は本発明の実施形態による水洗大便器１の給水装置を示す平面図であり、図５は図４の正面図であり、図６は図４の給水装置を示す概略正面図であり、図７は図４の給水装置により供給される洗浄水の瞬間流量と時間との関係を示す線図である。なお、図６において、便宜上、ジェットノズル４４及びスロート管４２の配置が図４及び図５に示されたものと異なる配置に描かれている。
【００３０】
水洗大便器１の給水装置４は、貯水タンク５と、この貯水タンク５に洗浄水を供給する給水管路３６と、この給水管路３６に設けられた給水弁装置３８と、この給水管路３６の下流端に設けられ便器本体２に洗浄水を供給するためのジェットポンプユニット６と、使用者が手動操作により洗浄水の給水を行うための手動レバー４０を備えている。
【００３１】
給水管路３６の上流端には、外部の給水源から供給される洗浄水を止水するための止水栓４１が設けられている。この止水栓４１は、通常使用時は開状態に保持されている。
【００３２】
ジェットポンプユニット６は、逆Ｖ字形状のスロート管４２と、ジェットノズル４４とを備えている。具体的には、スロート管４２の下流端が便器本体２の共通通水路１０に連通する排水口４５に接続され、その上流端には吸引口４２ａが形成され、この吸引口４２ａが貯水タンク５内の下部に位置するようになっている。さらに、スロート管４２の吸引口４２ａに対向するように、ジェットノズル４４が配置され、スロート管４２の吸引口４２ａとジェットノズル４４は、常時、貯水タンク５内で水没した状態となっている。
【００３３】
ジェットポンプ６は、ジェットノズル４４からスロート管４２の吸引口４２ａに向けて高速の洗浄水を噴射し、このとき、ジェットノズル４４に近いスロート管４２内の吸引口４２ａ近傍の空間が負圧となり、この負圧によりジェットポンプ作用（エジェクタ効果）を誘発させることにより、貯水タンク５内の近傍の洗浄水を吸引し、この洗浄水とジェットノズル４４から噴出される洗浄水とが一緒になり、スロート管４２内を流れ、排水口４５を経て、便器本体２の共通通水路１０に供給されるようになっている。
【００３４】
給水管路３６には、上述した給水弁装置３８以外に、給水弁装置３８の上流側に定流量弁４６が、下流側に真空破壊弁４８が設けられている。この定流量弁４６は、給水弁装置３８に供給される洗浄水を定流量とするためのものであり、真空破壊弁４８は、外部から空気を吸入して真空破壊弁４８からジェットノズル４４までの管路内が負圧にならないようにするためのものである。
【００３５】
給水弁装置３８は、パイロット式ダイアフラム弁であり、主弁座５０と、この主弁座５０に着座して止水する止水状態と主弁座５０から離間して給水する給水状態とを切り換えるダイアフラム弁である主弁体５２と、その内部の圧力により主弁体５２を主弁座５０に対して移動させる圧力室５４とを備えている。圧力室５４には、圧力室５４の圧力を開放する第１穴５６及び第２穴５８と、上述した手動レバー４０における使用者の手動操作と連動して第１穴５６を開閉する第１パイロット弁６０と、貯水タンク５内の洗浄水の水位に伴い上下動するフロート６２と、このフロート６２の上下動により第２穴５８を開閉する第２パイロット弁６４が設けられている。
【００３６】
また、主弁体５２には、ブリード穴（図示せず）が設けられており、止水状態のとき、ブリード穴により給水管路３２の一次側流路Ａと圧力室５４の内部とが連通するようになっている。ここで、第１穴５６は、その開口面積が第２穴５８の開口面積よりも大きく形成されている。また、第１穴５６は、第２穴５８よりも、図６に示すように、上方位置に形成されている。
【００３７】
第１パイロット弁６０は、駆動軸６５により手動レバー４０に接続され、使用者の手動レバー４０の手動操作により、第１穴５６を開閉するようになっている。ここで、手動レバー４０は、図５において、手前側（一方向）に回動操作させた場合には大洗浄がなされ、奥側（他方向）に回動操作させた場合には小洗浄がなされるようになっている。
【００３８】
この給水弁装置３８は、通常は止水状態であり、止水状態では、第１穴５６及び第２穴５８は共に塞がれており、且つ、給水管路３６の一次側流路Ａは圧力室５４とブリード穴を通じて連通しているため、一次側流路Ａと圧力室５４の水圧は同じ水圧（＝一次側流路圧力α）、また二次側流路Ｂは大気開放となり、主弁体５２に水圧が作用する面積の方が一次側流路Ａの面積よりも大であるので、主弁体５２は主弁座５２に押付けられ閉じられている。
【００３９】
給水弁装置３８において、第１穴５６及び/又は第２穴５８が第１パイロット弁６０及び/又は第２パイロット弁６４により開放されると、圧力室５４から洗浄水が流出し、圧力室５４内の圧力が低下し、主弁体５２が主弁座５０から離れるように移動し、開弁し、吐水状態となる。
【００４０】
給水弁装置３８において、第１穴５６及び第２穴５８が第１パイロット弁６０及び第２パイロット弁６４により閉じられると、再度圧力室５４の圧力が一次側流路圧力となり、主弁体５２が主弁座５０に向けて移動し、最終的に閉弁された状態（止水状態）となる。なお、このとき、一次側流路Ａの洗浄水が、圧力室５４内へブリード穴から少しずつ注入されるため、第１穴５６及び第２穴５８を塞いでから、所定時間遅れて、主弁体５２が閉弁状態（止水状態）となるようになっている。
【００４１】
次に、図６に示すように、スロート管４２の下端近傍には、ジェット吐水とタンク貯水とを切換えるための切換弁６６と、この切換弁６６に取り付けられたフロート６８が設けられている。このフロート６８は、貯水タンク５内の水位により上下動するため、水位が低くなったときは、フロート６８も下降し、それにより、切換弁６６がスロート管４２内の流路を塞ぐようになっている。スロート管４２内の流路が塞がれた状態では、ジェットノズル４４から噴射された洗浄水は、切換弁６６に衝突し、スロート管４２内を流れることなく、貯水タンク５内に流れ、貯水タンク５内に貯水される。また、所定水位に達して貯水が完了すると、フロート６８も上昇し、それにより、切換弁６６がスロート管４２内の流路を開放するようになっている。スロート管４２内の流路を開放された状態では、ジェットノズル４４から噴射された洗浄水は、スロート管４２内を流れ、便器本体２に供給されるようになっている。
【００４２】
さらに、貯水タンク５内には、大洗浄及び小洗浄に必要な洗浄水量を切り換えるための大小洗浄切換機構７０が設けられている。この大小洗浄切換機構７０は、貯水タンク５内をジェットノズル４４及びスロート管４２の吸引口４２ａを取り囲む空間と他の空間とを仕切りその上方が開放されている仕切壁７２と、この仕切壁７２に形成された開口７４と、この開口７４を開閉するために仕切壁７２に取り付けられた開閉弁７６と、を備えている。
【００４３】
大小洗浄切換機構７０の開閉弁７６は、鎖７８により駆動軸６５に接続され、小洗浄のために、使用者により手動レバー４０が他方向に回動操作された場合に、鎖７８により開閉弁７６が引き上げされ、開閉弁７６により開口７４を閉じるようになっている。
【００４４】
次に、貯水タンク５内には、便器本体２を洗浄後に便器本体２に補給水を供給するため補給水供給パイプ８２が設けられている。この補給水供給パイプ８２の下方端８２ａはスロート管４２の下流側端に連通し、上方端８２ｂには補給水供給口８４が形成されている。
【００４５】
図６に示すように、貯水タンク５内の水位ＷＬは、以下の位置となる。水位ＷＬ１は仕切壁７２の開口７４の下端位置であり大洗浄が終了したときの水位を示し、水位ＷＬ２は仕切壁７２の上端位置であり小洗浄が終了したときの水位を示し、水位ＷＬ３は水洗大便器１の使用前又は使用後の通常の水位を示し、水位ＷＬ４は大洗浄又は小洗浄後に給水弁装置３８により貯水タンク５内に洗浄水が給水されその後給水が停止した直後（且つ洗浄水補給前）の止水状態を示す水位である。
【００４６】
図７に示されているように、ジェットポンプユニット６を備えた給水装置４は、一定の大流量の洗浄水を所定時間継続して便器本体２へ供給することができる。具体的に言えば、給水装置４は、例えば、瞬間流量８５Ｌ／分の洗浄水を４秒間継続して便器本体２へ供給するようになっている。なお、給水装置４による瞬間流量は、約６５Ｌ/分〜約８５Ｌ/分の範囲の大流量が好ましくは、また、約３秒〜約７秒継続して供給することが好ましい。
【００４７】
次に、上述した本発明の実施形態による水洗大便器１による作用効果を説明する。先ず、使用者が給水装置４の手動レバー４０を操作すると、給水弁装置３８により外部の給水源から供給される洗浄水がジェットノズル４４に到達し、ジェットノズル４４から洗浄水がスロート管４２の吸引口４２ａに向けて噴射される。このとき、スロート管４２の吸引口４２ａ付近は負圧となるので、貯水タンク５内に貯水された洗浄水もスロート管４２内に吸引され、給水装置４により外部から供給される洗浄水と貯水タンク５内に洗浄水が一緒になってスロート管４２内を流れ、便器本体１に供給され、ボウル部８の洗浄が開始される。このとき、給水装置４からは、図７に示すように、一定の大流量の洗浄水が所定時間継続して便器本体２へ供給される。
【００４８】
便器本体１においては、第１リム吐水口２４は、洗浄水をボウル部８の前方に向けてほぼ水平方向に吐水し、第２リム吐水口２６は、洗浄水を後方に向けて下方向に吐水し、同一方向（反時計回り）に旋回する旋回流を形成するようになっている。
【００４９】
第１リム吐水口２４から前方に吐水された洗浄水は、ボウル部８の前端を旋回し、ボウル部８の後方側へ流れ、第２リム吐水口２６から吐水された洗浄水に追いつく。このとき、本実施形態の水洗大便器１においては、第２リム吐水口２６から吐水される洗浄水の方向を下向きとしたことで、第１リム吐水口２４から吐水された洗浄水が、第２リム吐水口２６から吐水された洗浄水に乗り上げて又は第１リム吐水口２４から吐水された洗浄水の一部を押し出して洗浄水が上方外側へ飛び出し溢れていくことを防止できる。
【００５０】
以上説明したように、本実施形態による水洗大便器１においては、第２リム吐水口２６から吐水される洗浄水を下向きに吐水するようにしたことで、第１リム吐水口２４から吐水された洗浄水が、第２リム吐水口２６から吐水された洗浄水に追いつくと、第１リム吐水口２４から吐水された洗浄水は、第２リム吐水口２６から吐水される下向き方向のベクトルを有する洗浄水によって、下方向の流れに変換される。この結果、洗浄水がリム部１８から便器本体外へ飛び出すことを防止することができる。さらに、リム部１８においてオーバーハング形状による清掃性を維持しつつ、節水化とボウル部８の洗浄性を両立させることができる。
【００５１】
また、上述したように、第１リム吐水口２４はリム部１８の側方部に位置し、ボウル部８の前方側に洗浄水を吐水し、第２リム吐水口２６はリム部１８の後方部に位置することで、第１リム吐水口２４から吐水される洗浄水は、ボウル部８の前方側を旋回して第２リム吐水口２６に向かうので、第１リム吐水口２４から吐水された洗浄水の勢いがボウル部前方側を旋回するうちに弱まり、第１リム吐水口２４から吐水された勢いの弱まった洗浄水は、第２リム吐水口２６から吐水される下向き方向のベクトルを有する洗浄水によって、下方向の流れに変換される。この結果、本発明によれば、洗浄水がリム部１８から便器本体外へ飛び出すことを確実に防止することができる。さらに、リム部１８においてオーバーハング形状による清掃性を維持しつつ、節水化とボウル部８の洗浄性を両立させることができる。
【００５２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１    水洗大便器
２    便器本体
４    給水装置
５    貯水タンク
６    ジェットポンプユニット
７    スカート部
８    ボウル部
１０  通水路
１２  排水管路
１６  汚物受け面
１８  リム部
２０  凹部
２２  内周面
２４  第１リム吐水口
２６  第２リム吐水口
２８  第１通水路
３０  第２通水路
３２  導水管路
３２ａ  入口
３４  トラップ管路
３４ａ  上昇路
３４ｂ  下降路
４５  排水口
８０  通水路
【図１】
2015183484.tif 000003
【図２】
2015183484.tif 000004
【図３】
2015183484.tif 000005
【図５】
2015183484.tif 000006
【図６】
2015183484.tif 000007
【図４】
2015183484.tif 000008
【図７】
2015183484.tif 000009
【図８】
2015183484.tif 000010